(57)【要約】【課題】直角な屈曲部を有して成るブーツを光コネクタのストップリングに装着したままの状態で向きの調整がワンタッチで短時間に行える。【解決手段】光ケーブルＰの光ファイバ芯線を挿入して固定すると共に、後端にフランジ２２が圧入保持されるフェルール２と、フランジ２２後端に当接しフェルール２を前方に付勢するスプリング４の後端を支持するストップリング５と、これら各部材を覆うプラグフレーム３と、光ケーブルＰのケブラＰ１をストップリング５に固定するカシメ座６と、光ケーブルＰのシースＰ２をカシメ座６に固定するカシメリング７と、カシメリング７の外側を被覆するようにしてストップリング５に装着するブーツ８とを有し、ブーツ８は、直角な屈曲部Ｌを有して成ると共に、ストップリング５に対して回転可能であり、且つ所定の回転角度でストップリング５に保持固定するよう嵌合手段１１を備える。【選択図】図２
2008116600.tif 000002
【特許請求の範囲】
【請求項１】
光ケーブルの光ファイバ芯線が挿入されて固定されると共に、後端にフランジが圧入保持されるフェルールと、フランジ後端に当接しフェルールを前方に付勢するスプリングの後端を支持するストップリングと、これら各部材を覆うプラグフレームと、光ケーブルのケブラを前記ストップリングに固定するカシメ座と、光ケーブルのシースを前記カシメ座に固定するカシメリングと、該カシメリングの外側を被覆するようにして前記ストップリングに装着されるブーツとを備えた回転式直角曲げコネクタであって、前記ブーツは、直角な屈曲部を有して成ると共に、前記ストップリングに対して回転可能であり、且つ所定の回転角度で前記ストップリングに保持固定されるよう嵌合手段を備えたことを特徴とする回転式直角曲げコネクタ。
【請求項２】
嵌合手段は、ストップリングの外周に円周に沿って形成され、同一周方向の所定部位に係止凸部を備えた円弧状の嵌合凹部と、該嵌合凹部に回動可能に嵌合すると共に、前記係止凸部に係止するよう、前記ブーツの開口端における内周に沿って突設された嵌合突部とから成る請求項１記載の回転式直角曲げコネクタ。
【請求項３】
前記ブーツの屈曲部には、内挿されている光ケーブルの直角方向への屈曲を許容させるよう内角部にＲ状の曲げスペースを形成してある請求項１または２記載の回転式直角曲げコネクタ。
【請求項４】
前記ブーツは、その屈曲部に、当該ブーツ両端の開口部と連通するよう射出成型用の抜け穴を有して成る請求項１乃至３のいずれかに記載の回転式直角曲げコネクタ。
【請求項５】
前記ブーツの屈曲部を介しての先細となった一端側は、内径が光ケーブルの外径よりも若干大きく形成してある請求項１乃至４のいずれかに記載の回転式直角曲げコネクタ。
【発明の詳細な説明】
【技術分野】
【０００１】
本発明は、各種光通信機器を接続するために室内壁面に設置された光コンセントアダプタ等に接続する回転式直角曲げコネクタに関する。
【背景技術】
【０００２】
近年、ＦＴＴＨ（ｆｉｂｅｒ  ｔｏ  ｔｈｅ  ｈｏｍｅ）が進み、部屋の中に光コンセントを設置するようになってきている。そこで従来では、特許文献１に開示されているように、室内の壁面に設けたアウトレットボックスに複数の光コンセントを取り付け、当該光コンセント内に保持された接続アダプタに、光ファイバコード等の外部光コネクタプラグを壁面に対し垂直に挿入して接続するアウトレット部品なる技術が提案されている。
【０００３】
しかしながら、従来の外部光コネクタプラグは、壁面に対し垂直に挿入して接続するため、当該外部光コネクタプラグ自体が壁面から垂直に突出した状態となる。このため、外部光コネクタプラグが邪魔になり、周辺機器がこれにぶつかって破損する等の事故が予想される。
【０００４】
そこで、ブーツを直角に屈曲変形させて形成し、この先端を光コネクタプラグのストップリングの末端に装着固定して成る所謂曲げコネクタを使用する等の何んらかの対策を採ることが必要となってきている。このとき、光コネクタプラグのツマミ片側には、接続アダプタのキー孔に挿入可能なガイド突起が形成されている。
【特許文献１】特開２００５−１０６９３７号公報
【発明の開示】
【発明が解決しようとする課題】
【０００５】
ただ、従来においては、曲げコネクタプラグのストップリングの末端にブーツを一度装着すると、当該ブーツの取付方向を変更するに際し、当該ブーツをストップリングからいったん引き抜き、その後、所定の向きとなるようにブーツをストップリングに再度装着しなければならない。このため、作業に手間と時間が掛かるものとなっていた。
【０００６】
また、従来の曲げコネクタは、ツマミ片側に接続アダプタのキー孔に挿入可能なガイド突起が形成されているため、ブーツをストップリングに装着したまま曲げコネクタごと向きを変えることは不可能となるという問題点を有していた。
【０００７】
そこで、本発明は、叙上のような従来存した諸事情に鑑み案出されたもので、直角な屈曲部を有して成るブーツをストップリングに装着したままの状態で向きの調整がワンタッチで短時間に行えるものとした回転式直角曲げコネクタを提供することを目的とする。
【課題を解決するための手段】
【０００８】
上述した課題を解決するため、本発明にあっては、光ケーブルの光ファイバ芯線が挿入されて固定されると共に、後端にフランジが圧入保持されるフェルールと、フランジ後端に当接しフェルールを前方に付勢するスプリングの後端を支持するストップリングと、これら各部材を覆うプラグフレームと、光ケーブルのケブラを前記ストップリングに固定するカシメ座と、光ケーブルのシースを前記カシメ座に固定するカシメリングと、該カシメリングの外側を被覆するようにして前記ストップリングに装着されるブーツとを備えた回転式直角曲げコネクタであって、前記ブーツは、直角な屈曲部を有して成ると共に、前記ストップリングに対して回転可能であり、且つ所定の回転角度で前記ストップリングに保持固定されるよう嵌合手段を備えたことを特徴とする。
【０００９】
嵌合手段は、ストップリングの外周に円周に沿って形成され、同一周方向の所定部位に係止凸部を備えた円弧状の嵌合凹部と、該嵌合凹部に回動可能に嵌合すると共に、前記係止凸部に係止するよう、前記ブーツの開口端における内周に沿って突設された嵌合突部とから成る。
【００１０】
前記ブーツの屈曲部には、内挿されている光ケーブルの直角方向への屈曲を許容させるよう内角部にＲ状の曲げスペースを形成してある。
【００１１】
前記ブーツは、その屈曲部に、当該ブーツ両端の開口部と連通するよう射出成型用の抜け穴を有して成る。
【００１２】
前記ブーツの屈曲部を介しての先細となった一端側は、内径が光ケーブルの外径よりも若干大きく形成してある。
【発明の効果】
【００１３】
本発明によれば、直角な屈曲部を有して成るブーツをストップリングに装着したままの状態で向きの調整がワンタッチで容易且つ短時間に行える。すなわち、直角な屈曲部を有して成ると共に、ストップリングに対して回転可能として成るブーツが、所定の角度、例えば、回転方向に対して最大１８０度の回転を可能とする位置で前記ストップリングに保持固定されるよう嵌合手段を備えたので、ブーツの向きの変更毎に、光コネクタのストップリングからブーツをわざわざ取り外す必要が無くなり、したがって、ブーツの向きの調整において、最大１８０度までの回転方向の調整がワンタッチで容易且つ短時間に行えるものとなる。
【００１４】
嵌合手段は、ストップリングの外周に円周に沿って形成され、同一周方向の所定部位に係止凸部を備えた円弧状の嵌合凹部と、該嵌合凹部に回動可能に嵌合すると共に、前記係止凸部に係止するよう、前記ブーツの開口端における内周に沿って突設された嵌合突部とから成るので、簡単な構成によってブーツの向きの調整が可能となる。
【００１５】
前記ブーツの屈曲部には、内挿されている光ケーブルの直角方向への屈曲を許容させるよう内角部にＲ状の曲げスペースを形成してあるので、ストップリングに対するブーツの回転に際し、当該ブーツの屈曲部内面で光ケーブルを損傷させることが無い。
【００１６】
前記ブーツは、その屈曲部に、当該ブーツ両端の開口部と連通するよう射出成型用の抜け穴を有して成るので、成形が容易であると共に、ストップリングに対するブーツの回転がスムーズに行える。
【００１７】
前記ブーツの屈曲部を介しての先細となった一端側は、内径が光ケーブルの外径よりも若干大きく形成してあるので、ストップリングに対するブーツの回転に際し、光ケーブルのブーツ一端側内面に対する接触摩擦による損傷を未然に防止することができる。
【発明を実施するための最良の形態】
【００１８】
以下、図面を参照して本発明を実施するための最良の一形態を説明する。
図において示される符号１は、各種光通信機器を接続するために室内の壁面に設置されたアウトレットボックスＭ内に設けられた内装された光コンセントアダプタＱに接続する光コネクタプラグであり、該回転式直角曲げコネクタ１は、図１、図２および図３に示すように、光ファイバ芯線ａが挿入されて固定されると共に、後端にフランジ２２が圧入保持されるフェルール２と、フランジ２２後端に当接しフェルール２を前方に付勢するスプリング４の後端を支持するストップリング５と、これら各部材を覆うプラグフレーム３と、光ケーブルＰの抗張力線であるケブラＰ１を前記ストップリング５に固定するカシメ座６と、光ケーブルＰのケブラＰ１外側を覆う合成樹脂外皮であるシースＰ２を前記カシメ座６に固定するカシメリング７と、該カシメリング７の外側を被覆するようにして前記ストップリング５に装着されるブーツ８と、プラグフレーム３およびストップリング５の外側に被せられるツマミ９とから概ね構成されている。
【００１９】
フェルール２は、光ファイバ芯線ａの先端が挿入後、接着剤等で接着されることにより光ファイバ芯線ａを固定するものである。また、フェルール２は、プラグフレーム３に覆われることによりその保護がなされている。
【００２０】
スプリング４はコイルばねからなり、フランジ２２およびストップリング５の間に挟まれるように配置されることにより、その後端がストップリング５に支持されている。このようにストップリング５に後端が支持されることにより、スプリング４はフェルール２を前方に常時付勢するように作用する。
【００２１】
そして、フェルール２のフランジ２２後端からスプリング４、プラグフレーム３およびストップリング５が所定の位置にそれぞれ挿入配置されるが、このとき、図２および図３に示すように、ストップリング５の上方に設けられた凸部５ａがプラグフレーム３に対する挿入用ガイドとなり、一方、ストップリング５の下方に設けられたフック部３ａがプラグフレーム３の係止孔３ｂに係止されることで抜け止めの役割を果す。
【００２２】
ストップリング５の後方部分は、直角な屈曲部Ｌを有して成るブーツ８の一端開口部が当該ストップリング５に対して所定の角度回転可能となるようにして装着されている。すなわち、ブーツ８は、ストップリング５の後方に装着されたままの状態で後述する嵌合手段１１を介して所定の角度回転後、当該ストップリング５に固定保持されるようにしてある。
【００２３】
具体的には、嵌合手段１１は、図２、図３および図４に示すように、ストップリング５の後方外周に沿って形成された、同一周方向の所定部位に係止凸部１２ｂを備えた円弧状の嵌合凹部１２ａと、該嵌合凹部１２ａに回動可能にして、且つ前記係止凸部１２ｂに係止可能に嵌合するよう、前記ブーツ８の開口端における内側に沿って突設された円弧状の嵌合突部１３とから成る。
【００２４】
図示例では、ストップリング５外周一側に小幅な係止凸部１２ｂが一個形成されると共に、ブーツ８内周上方に広隔の嵌合突部１３が一個形成されている。
【００２５】
また、ブーツ８の屈曲部Ｌには、内挿される光ケーブルＰの直角方向への屈曲を許容させるよう内角部にＲ状の曲げスペースＳを形成してある。
【００２６】
さらに、ブーツ８の屈曲部Ｌには、湾曲矩形状の射出成型用の抜け穴Ｈを、ブーツ８の両端開口部と連通するよう設けることによって、成形を容易とすると共に、屈曲部Ｌ自体に柔軟性を付与してある。
【００２７】
加えて、前記ブーツ８の屈曲部Ｌを介して先細となった一端側は、内径を光ケーブルＰの外径よりも若干大きくなるようにして僅かな隙間ｌを形成してある。尚、図中１４はスリットを示す。
【００２８】
ストップリング５の後部には、共に金属から成るカシメ座６およびカシメリング７が配置されている。これらのカシメ座６およびカシメリング７は、ストップリング５に対して光ケーブルＰのケブラＰ１とシースＰ２とをそれぞれ保持するものである。
【００２９】
すなわち、カシメ座６は、大径の前側筒部６ａと小径の後側筒部６ｂとが略中央の段差部６ｃを介して連設されて成り、前側筒部６ａは、光ケーブルＰの切断されたシースＰ２内側のケブラＰ１と共にストップリング５の後部外周に嵌着される。また、後側筒部６ｂには、シースＰ２の切断端部を被せた状態にしてから、カシメリング７を外側からかしめることにより当該シースＰ２は固定される。
【００３０】
また、プラグフレーム３は、丸型構造に形成されると共に、当該プラグフレーム３の上下対称位置には、ツマミ９に形成された上下対称位置のキー孔に対応して一対のガイド部を形成してある。このガイド部は、プラグフレーム３にツマミ９を装着する際に、当該ツマミ９に形成された上下対称位置のキー孔に対し１方向で嵌挿されるよう当該ガイド部は互いに異なった幅員となるように形成されている。
【００３１】
さらに、ツマミ９の片側には、光コンセントアダプタＱに対して一方向からの接続を可能とするようにガイドさせるため、接続アダプタのキー孔に挿入可能なガイド突起９ａが形成されている。
【００３２】
図６は回転式直角曲げコネクタ１の使用の一例を示すもので、Ｍは光分岐ボックスＢに可撓性パイプ１５を介して連結されたアウトレットボックス、ＱはアウトレットボックスＭの正面板に取り付けられた光コンセントアダプタである。
【００３３】
光コンセントアダプタＱは後端において光分岐ボックスＢに光ケーブルＰを介して接続される。一方、前端においてパソコンＲに光ケーブルＰを介して接続された回転式直角曲げコネクタ１が脱着自在に接続される。
【００３４】
次に、以上のように構成された最良の形態についての組立・使用の一例について説明する。
先ず、直角な屈曲部Ｌを有して成るブーツ８を光ケーブルＰの切断端部から予め挿入しておく。そして、光ケーブルＰの切断端部からシースＰ２およびケブラＰ１を剥き出し状態にしてから、カシメ座６の後側筒部６ｂに、シースＰ２の切断端部を被せておき、カシメリング７を外側からかしめ固定する。
【００３５】
そして、カシメ座６の前側筒部６ａを、シースＰ２の切断端部から拡げられたケブラＰ１と共にストップリング５の後部外周に嵌着する。
【００３６】
しかる後、前記ブーツ８を光ケーブルＰの切断端部側に移動させ、嵌合手段１１すなわちストップリング５の嵌合凹部１２ａに、ブーツ８の嵌合突部１３を自らの撓曲によって嵌合させ、ついで、ブーツ８の嵌合突部１３をストップリング５の嵌合凹部１２ａ内で回動させ、係止凸部１２ｂで係止させる。これによってブーツ８はストップリング５に対して所定の角度、例えば、上下いずれの方向へも１８０度向きを変えて固定保持される。また、光ファイバ芯線ａの先端はフェルール２に挿入され、接着剤等で接着されることにより光ファイバ芯線ａが固定される。
【００３７】
そして、フェルール２先端側からスプリング４が挿入され、さらにプラグフレーム３およびストップリング５が所定の位置にそれぞれ挿入配置される。
【００３８】
このとき、スプリング４は、フランジ２２およびストップリング５の間に挟まれるように配置され、ストップリング５に対してフェルール２を前方に付勢させるように作用する。
【００３９】
最後に、ツマミ９がプラグフレーム３およびストップリング５の外側に被せられる。このとき、ツマミ９に形成された上下対称位置のキー孔に対し、プラグフレーム３が１方向で嵌挿される。
【００４０】
回転式直角曲げコネクタ１の使用に際し、各種光通信機器を接続するために室内の壁面に設置されたアウトレットボックスＭに内装された光コンセントアダプタＱに回転式直角曲げコネクタ１を接続する。
【００４１】
例えば、パソコンＲからの回転式直角曲げコネクタ１を光コンセントアダプタＱの相手側端子に接続させるに際し、図６（ａ）に示すように、前記パソコンＲが光コンセントアダプタＱの下方側に配置されている場合には、ストップリング５に対してブーツ８を下方向、すなわち光ケーブルＰが下向きに延長されるように回転させる。このとき、嵌合手段１１において、ストップリング５の嵌合凹部１２ａ上側の嵌合凹部１２ａ部分に、ブーツ８の嵌合突部１３が嵌合されると共に、係止凸部１２ｂの一端に係止させる（図５（ａ）参照）。
【００４２】
他方、図６（ｂ）に示すように、前記パソコンＲが光コンセントアダプタＱの上方側に配置されている場合には、ストップリング５に対してブーツ８を上方向、すなわち光ケーブルＰが上向きに延長されるように回転させる。このとき、嵌合手段１１において、ストップリング５の下側の嵌合凹部１２ａ部分に、ブーツ８の嵌合突部１３が嵌合されると共に、係止凸部１２ｂの他端に係止させる（図５（ｂ）参照）。このようにブーツ８を１８０度回転させることで、光コンセントアダプタＱに接続された外部の回転式直角曲げコネクタ１自体が周辺機器の障害とはならないのである。
【図面の簡単な説明】
【００４３】
【図１】本発明を実施するための最良の形態における回転式直角曲げコネクタの一例を示す平面図である。
【図２】同じく回転式直角曲げコネクタの縦断面図である。
【図３】同じく回転式直角曲げコネクタの横断面図である。
【図４】同じくストップリングに対して１８０度回転させた状態で組み付けられるよう２つのブーツを同時に示した状態の分解斜視図である。
【図５】同じくストップリングとブーツの組み付け状態を示すもので、（ａ）はブーツが下向きの時の説明図（ｂ）はブーツが上向きの時の説明図である。
【図６】同じく回転式直角曲げコネクタの使用状態の一例を示すもので、（ａ）はパソコンが光コンセントアダプタの下方側に配置されている場合での使用状態を示す一部切欠断面図、（ｂ）はパソコンが光コンセントアダプタの上方側に配置されている場合での使用状態を示す一部切欠断面図である。
【符号の説明】
【００４４】
Ｐ              光ケーブル
ａ              光ファイバ芯線
Ｐ１            ケブラ
Ｐ２            シース
Ｂ              光分岐ボックス
Ｑ              光コンセントアダプタ
Ｒ              パソコン
Ｓ              曲げスペース
Ｌ              屈曲部
Ｍ              アウトレットボックス
Ｈ              抜け穴
１              回転式直角曲げコネクタ
２              フェルール
３              プラグフレーム
３ａ            フック部
４              スプリング
５              ストップリング
５ａ            凸部
６              カシメ座
６ａ            前側筒部
６ｂ            後側筒部
６ｃ            段差部
７              カシメリング
８              ブーツ
９              ツマミ
９ａ            ガイド突起
１１            嵌合手段
１２ａ          嵌合凹部
１２ｂ          係止凸部
１３            嵌合突部
１５            可撓性パイプ
【図１】
2008116600.tif 000003
【図２】
2008116600.tif 000004
【図３】
2008116600.tif 000005
【図４】
2008116600.tif 000006
【図５】
2008116600.tif 000007
【図６】
2008116600.tif 000008